(57)【要約】  洗浄時のスカムの発生が抑制された、以下の成分（Ａ）、（Ｂ）および（Ｃ）を含有する組成物であって、（Ａ）／（Ｂ）の重量比が０．２〜５かつ(（Ａ）＋（Ｂ）)／（Ｃ）の重量比が０．０１〜１０であることを特徴とする組成物を提供する：（Ａ）Ｎ−ラウロイルグリシン又はその塩（Ｂ）Ｎ−ミリストイルグリシン又はその塩（Ｃ）炭素原子数８〜２４のアシル基を有するＮ−アシル酸性アミノ酸又はその塩。【特許請求の範囲】
【請求項１】
以下の成分（Ａ）、（Ｂ）および（Ｃ）を含有する組成物であって、（Ａ）／（Ｂ）の重量比が０．２〜５かつ(（Ａ）＋（Ｂ）)／（Ｃ）の重量比が０．０１〜１０であることを特徴とする組成物：
（Ａ）Ｎ−ラウロイルグリシン又はその塩
（Ｂ）Ｎ−ミリストイルグリシン又はその塩
（Ｃ）炭素原子数８〜２４のアシル基を有するＮ−アシル酸性アミノ酸又はその塩。
【請求項２】
さらに成分（Ｄ）炭素原子数６〜２４の脂肪酸又はその塩を含む請求項１に記載の組成物。
【請求項３】
（Ｄ）が、オクタン酸、デカン酸、ラウリン酸、ミリスチン酸、パルミチン酸、ステアリン酸、それらのナトリウム塩、それらのカリウム塩及びそれらのトリエタノールアミン塩からなる群から選択される少なくとも一つである請求項２に記載の組成物。
【請求項４】
（Ｃ）における酸性アミノ酸がグルタミン酸またはアスパラギン酸である請求項１〜３のいずれか１項に記載の組成物。
【請求項５】
（Ｃ）Ｎ−アシル酸性アミノ酸の塩が、ナトリウム、カリウム及びトリエタノールアミンからなる群から選択される少なくともひとつとの塩である請求項１〜４のいずれか１項に記載の組成物。
【請求項６】
（Ｃ）が、Ｎ−ラウロイルグルタミン酸、Ｎ−ミリストイルグルタミン酸、Ｎ−ココイルグルタミン酸、それらのナトリウム塩、それらのカリウム塩及びそれらのトリエタノールアミン塩からなる群から選択される少なくとも一つである請求項１〜５のいずれか１項に記載の組成物。
【請求項７】
（Ａ）Ｎ−ラウロイルグリシンの塩が、ナトリウム、カリウム及びトリエタノールアミンからなる群から選択される少なくともひとつとの塩である請求項１〜６のいずれか１項に記載の組成物。
【請求項８】
（Ｂ）Ｎ−ミリストイルグリシンの塩が、ナトリウム、カリウム及びトリエタノールアミンからなる群から選択される少なくともひとつとの塩である請求項１〜７のいずれか１項に記載の組成物。
【請求項９】
（（Ａ）＋（Ｂ）＋（Ｃ））／（Ｄ）の重量比が０．０２以上であることを特徴とする請求項２〜８のいずれか１項に記載の組成物。
【請求項１０】
さらに成分（Ｅ）Ｎ−ラウロイルグリシルグリシン又はその塩を含む請求項１〜９のいずれか１項に記載の組成物。
【請求項１１】
さらに成分（Ｆ）Ｎ−ミリストイルグリシルグリシン又はその塩を含む請求項１〜１０のいずれか１項に記載の組成物。
【請求項１２】
さらに成分（Ｇ）Ｎ−ラウロイルグルタミルグルタミン酸又はその塩を含む請求項１〜１１のいずれか１項に記載の組成物。
【請求項１３】
さらに成分（Ｈ）Ｎ−アシルアルギニン又はその塩を含む請求項１〜１２のいずれか１項に記載の組成物。
【請求項１４】
（Ａ）／（Ｂ）の重量比が０．３〜３．５かつ(（Ａ）＋（Ｂ）)／（Ｃ）の重量比が０．５〜４である請求項１〜１３のいずれか１項に記載の組成物。
【請求項１５】
前記（Ａ）〜（Ｃ）の合計重量が組成物全体に対して１５〜４０重量％である請求項１〜１４のいずれか１項に記載の組成物。
【請求項１６】
請求項１〜１５のいずれか１項に記載の組成物を含む洗浄剤組成物。
【請求項１７】
請求項２〜１５のいずれか１項に記載の組成物を含む洗浄剤組成物であって、（Ｄ）を洗浄剤組成物全体に対して０．１重量％以上、５０重量％以下含む組成物。
【請求項１８】
（Ｄ）を洗浄剤組成物全体に対して０．５重量％以上、３０重量％以下含む請求項１７に記載の組成物。
【発明の詳細な説明】
【技術分野】
【０００１】
本発明は、洗浄時のスカム発生が少ない組成物に関する。
【背景技術】
【０００２】
日本やアジア地域では、主に浴室で使用される顔面用あるいは全身用の身体洗浄料には、身体の広い面積を対象とし、洗浄後の爽快感を演出する為に、さっぱり感と豊富な泡立ちを持った洗浄料が好まれている。さっぱり感を付与する成分としては、金属イオンと洗浄料との不溶物であるスカムが知られている。一方で、水道水中に含まれる金属イオンと洗浄料から発生する不溶物であるスカムが洗浄時に発生し浴室の汚れに結びつくことが知られている。このため日々使用する浴室の清潔さと美的外観を容易に維持するためにスカムが発生しにくい洗浄剤が望まれている。また生成したスカムを洗い流す為に、多くの排水が必要となることから、スカムが発生しにくく環境に配慮した洗浄料の要望が世界的に広がっている。【０００３】
スカムを抑制する方法としては、アシルアミノ酸によるスカム抑制の提案があるが、水質改良と浴槽、風呂釜の保守に効果がある浴用剤用途であり（特許文献１）、身体洗浄料としての用途ではなく、さっぱり感や泡量の点で課題を解決できていない。
さっぱり感を演出する身体洗浄料としては、アシルアミノ酸と陽イオン性高分子に高級脂肪酸塩を組み合わせた洗浄剤組成物が提案されているが、高級脂肪酸塩を使用していることから、洗浄時のさっぱり感や、泡性能は要望を満たすものの、スカムの抑制は必ずしも十分な効果を発揮していなかった（特許文献２）。
また身体用洗浄剤として、アシルグリシンの使用が提案されている（特許文献３）。アシルグリシンは、比較的脂肪酸に似た構造を持つ事から、脂肪酸に近い泡性能、感触を持つが、脂肪酸同様に二価金属塩を作りやすく、浴室汚れの原因となる可能性があった。
【先行技術文献】
【特許文献】
【０００４】
【特許文献１】平4-149125号公報
【特許文献２】特開2015-74696号公報
【特許文献３】特開2014-218465号公報
【発明の概要】
【発明が解決しようとする課題】
【０００５】
本発明は、洗浄時のスカム発生が少ない組成物を提供することを目的とする。
【課題を解決するための手段】
【０００６】
本発明者らは上記課題を解決するために鋭意研究を重ねた結果、Ｎ−ラウロイルグリシン又はその塩、Ｎ−ミリストイルグリシン又はその塩、及び特定のＮ−アシル酸性アミノ酸又はその塩を特定の配合比の組成物とすることで洗浄時のスカム発生が少なくなることを見出した。更に該組成物に脂肪酸を加えることで泡切れのよい使用感に優れた組成物が得られることを見出し、本発明を完成した。【０００７】
すなわち、本発明は以下の通りである。
［１］以下の成分（Ａ）、（Ｂ）および（Ｃ）を含有する組成物であって、（Ａ）／（Ｂ）の重量比が０．２〜５かつ（（Ａ）＋（Ｂ））／（Ｃ）の重量比が０．０１〜１０であることを特徴とする組成物：
（Ａ）Ｎ−ラウロイルグリシン又はその塩
（Ｂ）Ｎ−ミリストイルグリシン又はその塩
（Ｃ）炭素原子数８〜２４のアシル基を有するＮ−アシル酸性アミノ酸又はその塩。
［２］さらに成分（Ｄ）炭素原子数６〜２４の脂肪酸又はその塩を含む［１］に記載の組成物。
［３］（Ｄ）が、オクタン酸、デカン酸、ラウリン酸、ミリスチン酸、パルミチン酸、ステアリン酸、それらのナトリウム塩、それらのカリウム塩及びそれらのトリエタノールアミン塩からなる群から選択される少なくとも一つである［２］に記載の組成物。
［４］（Ｃ）における酸性アミノ酸がグルタミン酸またはアスパラギン酸である［１］又は［２］に記載の組成物。
［５］（Ｃ）Ｎ−アシル酸性アミノ酸の塩が、ナトリウム、カリウム及びトリエタノールアミンからなる群から選択される少なくともひとつとの塩である[１]〜[４]のいずれかに記載の組成物。
［６］（Ｃ）が、Ｎ−ラウロイルグルタミン酸、Ｎ−ミリストイルグルタミン酸、Ｎ−ココイルグルタミン酸、それらのナトリウム塩、それらのカリウム塩及びそれらのトリエタノールアミン塩からなる群から選択される少なくとも一つである［１］〜［５］のいずれかに記載の組成物。
［７］（Ａ）Ｎ−ラウロイルグリシンの塩が、ナトリウム、カリウム及びトリエタノールアミンからなる群から選択される少なくともひとつとの塩である［１］〜［６］のいずれかに記載の組成物。
［８］（Ｂ）Ｎ−ミリストイルグリシンの塩が、ナトリウム、カリウム及びトリエタノールアミンからなる群から選択される少なくともひとつとの塩である［１］〜［７］のいずれかに記載の組成物。
［９］（（Ａ）＋（Ｂ）＋（Ｃ））／（Ｄ）の重量比が０．０２以上であることを特徴とする［２］〜［８］のいずれかに記載の組成物。
［１０］さらに成分(Ｅ)Ｎ−ラウロイルグリシルグリシン又はその塩を含む［１］〜［９］のいずれかに記載の組成物。
［１１］さらに成分(Ｆ)Ｎ−ミリストイルグリシルグリシン又はその塩を含む［１］〜［１０］のいずれかに記載の組成物。
［１２］さらに成分(Ｇ)Ｎ−ラウロイルグルタミルグルタミン酸又はその塩を含む［１］〜［１１］のいずれかに記載の組成物。
［１３］さらに成分（Ｈ）Ｎ−アシルアルギニン又はその塩を含む［１］〜［１２］のいずれかに記載の組成物。
［１４］［２］〜［１３］のいずれかに記載の組成物を含む洗浄剤組成物。
［１５］前記（Ｄ）を洗浄剤組成物全体に対して０．１重量％以上、５０重量％以下含む［１４］に記載の組成物。
［１６］前記（Ｄ）を洗浄剤組成物全体に対して０．５重量％以上、３０重量％以下含む［１４］に記載の組成物。
［１７］（Ａ）／（Ｂ）の重量比が０．３〜３．５かつ(（Ａ）＋（Ｂ）)／（Ｃ）の重量比が０．５〜４である［１］〜［１３］のいずれかに記載の組成物。
［１８］（Ａ）〜（Ｃ）の合計重量が組成物全体に対して１５〜４０重量％である［１］〜［１３］及び［１７］のいずれかに記載の組成物。
［１９］［１］〜［１３］、［１７］及び［１８］のいずれかに記載の組成物を含む洗浄剤組成物。
【発明の効果】
【０００８】
本発明の組成物を使用して洗浄する時、スカム発生が少ないため浴室等の汚れが少なく、スカムをすすぐための大量の水が不要となり環境に貢献することができる。
本発明によれば、泡切れが良くすすぎが早い使用性に優れた洗浄剤を提供することができる。
【発明を実施するための形態】
【０００９】
本発明は、成分（Ａ）Ｎ−ラウロイルグリシン又はその塩、（Ｂ）Ｎ−ミリストイルグリシン又はその塩及び（Ｃ）炭素原子数８〜２４のアシル基を有するＮ−アシル酸性アミノ酸又はその塩（以下それぞれ（Ａ）、（Ｂ）及び（Ｃ）とも称する）を特定の割合で含有する組成物に関する（以下本発明の組成物と略することもある）。
【００１０】
（Ａ）Ｎ−ラウロイルグリシンの塩としては、リチウム塩、ナトリウム塩、カリウム塩等のアルカリ金属塩；カルシウム塩、マグネシウム塩等のアルカリ土類金属塩；モノエタノールアミン塩、ジエタノールアミン塩、トリエタノールアミン（ＴＥＡ）塩等のアルカノールアミン塩；アンモニウム塩；および塩基性有機物塩等が挙げられる。これらのうち、スカム発生を抑制するという観点では、アルカリ金属塩およびアルカノールアミン塩が好ましく、ナトリウム塩、カリウム塩、トリエタノールアミン塩がより好ましい。これらのＮ−ラウロイルグリシン又はその塩は、夫々単独で用いてもよいし、２種以上を任意の割合で混合して用いてもよい。
また(Ａ)は、本発明の組成物を調製するときに、Ｎ−ラウロイルグリシンと上記塩を形成する物質（例えば、水酸化ナトリウム、水酸化カリウム、ＴＥＡ等）と一緒に加えて中和し塩の形態としてもよい。またこれらのＮ−ラウロイルグリシン又はその塩は、夫々単独で用いてもよいし、２種以上を任意の割合で混合して用いてもよい。
本発明において「スカム」とは、水中のカルシウムなどの２価の金属イオンと界面活性剤とのキレートである不溶物を意味する。
【００１１】
（Ｂ）Ｎ−ミリストイルグリシンの塩としては、リチウム塩、ナトリウム塩、カリウム塩等のアルカリ金属塩；カルシウム塩、マグネシウム塩等のアルカリ土類金属塩；モノエタノールアミン塩、ジエタノールアミン塩、トリエタノールアミン（ＴＥＡ）塩等のアルカノールアミン塩；アンモニウム塩；および塩基性有機物塩等が挙げられる。これらのうち、スカム発生を抑制するという観点では、アルカリ金属塩およびアルカノールアミン塩が好ましく、ナトリウム塩、カリウム塩、トリエタノールアミン塩がより好ましい。これらのＮ−ミリストイルグリシン又はその塩は、夫々単独で用いてもよいし、２種以上を任意の割合で混合して用いてもよい。
また（Ｂ）は、本発明の組成物を調製するときに、Ｎ−ミリストイルグリシンと上記塩を形成する物質（例えば、水酸化ナトリウム、水酸化カリウム、ＴＥＡ等）と一緒に加えて中和し塩の形態としてもよい。
【００１２】
（Ｃ）Ｎ−アシル酸性アミノ酸又はその塩はＤ体、Ｌ体およびＤＬ体のいずれも使用することができる。またこれらのＮ−アシル酸性アミノ酸又はその塩は、夫々単独で用いてもよいし、２種以上を任意の割合で混合して用いてもよい。
【００１３】
（Ｃ）におけるＮ−アシル酸性アミノ酸のアシル基は、炭素原子数８〜２４の脂肪酸から誘導されるアシル基であり、炭素原子数８〜２２の脂肪酸から誘導されるアシル基が好ましく、炭素原子数８〜１８の脂肪酸から誘導されるアシル基がより好ましい。当該アシル基としては、例えばラウリン酸、ミリスチン酸、パルミチン酸、ステアリン酸、オレイン酸、イソステアリン酸等や、それらの混合物である牛脂脂肪酸、ヤシ油脂肪酸、パーム核油脂肪酸等から誘導されるアシル基が挙げられ、ラウリン酸、ミリスチン酸又はヤシ油脂肪酸から誘導されるアシル基が好ましく、ラウリン酸又はヤシ油脂肪酸から誘導されるアシル基がより好ましい。
【００１４】
（Ｃ）における酸性アミノ酸としては、酸性アミノ酸であれば特に限定されないが、グルタミン酸、アスパラギン酸等が挙げられ、グルタミン酸、アスパラギン酸が好ましい。
【００１５】
Ｎ−アシル酸性アミノ酸の塩としては、リチウム塩、ナトリウム塩、カリウム塩等のアルカリ金属塩；カルシウム塩、マグネシウム塩等のアルカリ土類金属塩；モノエタノールアミン塩、ジエタノールアミン塩、トリエタノールアミン（ＴＥＡ）塩等のアルカノールアミン塩；アンモニウム塩；および塩基性有機物塩等が挙げられる。これらのうち、スカム発生を抑制するという観点では、アルカリ金属塩およびアルカノールアミン塩が好ましく、ナトリウム塩、カリウム塩、トリエタノールアミン塩がより好ましい。これらのＮ−アシル酸性アミノ酸又はその塩は、夫々単独で用いてもよいし、２種以上を任意の割合で混合して用いてもよい。
また（Ｃ）は、本発明の組成物を調製するときに、Ｎ−アシル酸性アミノ酸と上記塩を形成する物質（例えば、水酸化ナトリウム、水酸化カリウム、ＴＥＡ等）と一緒に加えて中和し塩の形態としてもよい。さらに（Ｃ）は、未中和のＮ−アシル酸性アミノ酸を含んでいてもよい。
【００１６】
本発明に用いられるＮ−アシル酸性アミノ酸塩は、具体的には、Ｎ−ラウロイルグルタミン酸、Ｎ−ミリストイルグルタミン酸、Ｎ−ココイル（ヤシ油脂肪酸アシル）グルタミン酸、Ｎ−ラウロイルアスパラギン酸、Ｎ−ミリストイルアスパラギン酸、Ｎ−ココイルアスパラギン酸のモノナトリウム塩、モノカリウム塩、トリエタノールアミン塩等が挙げられる。これらは１種でも２種以上混合して使用してもよい。なかでもＮ−ラウロイルグルタミン酸、Ｎ−ミリストイルグルタミン酸、Ｎ−ココイルグルタミン酸のナトリウム塩、カリウム塩またはトリエタノールアミン塩、またはそれらの混合物が好ましく、Ｎ−ラウロイルグルタミン酸、Ｎ−ココイルグルタミン酸のカリウム塩、ナトリウム塩またはトリエタノールアミン塩、またはそれらの混合物が好ましい。
【００１７】
本発明の組成物においては、（Ａ）／（Ｂ）の重量比が０．２〜５であることを特徴とする。（Ａ）／（Ｂ）の重量比は、好ましくは０．３〜３．５であり、より好ましくは０．３〜２．３である。
この範囲であれば、使用感等に優れた組成物を提供することができる。
【００１８】
また本発明の組成物においては、（（Ａ）＋（Ｂ））／（Ｃ）の重量比が０．０１〜１０であることを特徴とする。（（Ａ）＋（Ｂ））／（Ｃ）の重量比は、好ましくは０．１以上、より好ましくは１以上であり、好ましくは９以下、より好ましくは４以下、さらに好ましくは３．５以下、特に好ましくは２．５以下である。具体的には、（（Ａ）＋（Ｂ））／（Ｃ）の重量比は、通常０．０１〜１０であり、好ましくは０．１〜９であり、より好ましくは０．１〜４であり、さらに好ましくは０．５〜４、特に好ましくは０．５〜３．５である。
この範囲であれば、使用感、泡切れの早さの他にスカムの発生が抑制された優れた組成物を提供することができる。
【００１９】
本発明における（Ａ）、（Ｂ）及び（Ｃ）は合成品や市販品を用いることができる。
【００２０】
本発明の組成物には、泡切れの速さの観点からさらに成分（Ｄ）炭素原子数６〜２４の脂肪酸又はその塩（以下（Ｄ）とも称する）を含むのが好ましい。
炭素原子数６〜２４の脂肪酸は、飽和又は不飽和であってよく、炭素原子数６〜１８の脂肪酸が好ましく、８〜１８の脂肪酸がより好ましい。
具体的には、飽和脂肪酸としては、ヘキサン酸（カプロン酸）、ヘプタン酸、オクタン酸（カプリル酸）、ノナン酸、デカン酸（カプリン酸）、ドデカン酸（ラウリン酸）、テトラデカン酸（ミリスチン酸）、ペンタデカン酸、ヘキサデカン酸（パルミチン酸）、ヘプタデカン酸、オクタデカン酸（ステアリン酸）、イコサン酸（アラキジン酸）、ヘンイコシル酸、ドコサン酸（ベヘン酸）、テトラコサン酸(リグノセリン酸)などの直鎖飽和脂肪酸及びイソステアリン酸、２−ヘキシルデカン酸、２−エチルヘキサン酸、イソノナン酸、１２−ヒドロキシステアリン酸などの分岐鎖飽和脂肪酸が挙げられる。なかでも、オクタン酸、デカン酸、ラウリン酸、ミリスチン酸、パルミチン酸、ステアリン酸が好ましく、ラウリン酸、ミリスチン酸、パルミチン酸、ステアリン酸がより好ましい。
不飽和脂肪酸としては、９−ヘキサデセン酸（パルミトレイン酸）、ｃｉｓ−９−オクタデセン酸（オレイン酸）、１１−オクタデセン酸（バクセン酸）ｃｉｓ，ｃｉｓ−９，１２−オクタデカジエン酸（リノール酸）、９，１２，１５−オクタデカトリエン酸（（９，１２，１５）−リノレン酸）、５，８，１１，１４−イコサテトラエン酸（アラキドン酸）などが挙げられる。
【００２１】
炭素原子数６〜２４の脂肪酸の塩としては、リチウム塩、ナトリウム塩、カリウム塩等のアルカリ金属塩；カルシウム塩、マグネシウム塩等のアルカリ土類金属塩；モノエタノールアミン塩、ジエタノールアミン塩、トリエタノールアミン（ＴＥＡ）塩等のアルカノールアミン塩；アンモニウム塩；および塩基性有機物塩等が挙げられるが、上記の観点から、アルカリ金属塩およびアルカノールアミン塩が好ましく、ナトリウム塩、カリウム塩、トリエタノールアミン塩がより好ましく、カリウム塩が特に好ましい。これらの炭素原子数６〜２４の脂肪酸又はその塩は、夫々単独で用いてもよいし、２種以上を任意の割合で混合して用いてもよい。
【００２２】
本発明においては、（（Ａ）＋（Ｂ）＋（Ｃ））／（Ｄ）の重量比は、泡切れの早さの観点から、通常０．０２以上であり、０．０５以上が好ましく、１以上がより好ましい。また通常３００以下であり、１００以下が好ましく、５０以下がより好ましく、１０以下がさらに好ましい。
【００２３】
また（Ｄ）の含量は、組成物全体に対して、泡切れの早さの観点から、通常０．０１重量％以上、０．５重量％以上が好ましく、１重量％以上がより好ましく、通常５０重量％以下であり、３０重量％以下が好ましく、２０重量％以下がより好ましい。
【００２４】
本発明の組成物には、スカム付着性改善の観点からさらに成分（Ｅ）Ｎ−ラウロイルグリシルグリシン又はその塩（以下（Ｅ）とも称する）を含んでもよい。
Ｎ−ラウロイルグリシルグリシンの塩としては、リチウム塩、ナトリウム塩、カリウム塩等のアルカリ金属塩；カルシウム塩、マグネシウム塩等のアルカリ土類金属塩；モノエタノールアミン塩、ジエタノールアミン塩、トリエタノールアミン（ＴＥＡ）塩等のアルカノールアミン塩；アンモニウム塩；および塩基性有機物塩等が挙げられるが、上記の観点から、アルカリ金属塩およびアルカノールアミン塩が好ましく、ナトリウム塩、カリウム塩、トリエタノールアミン塩がより好ましく、カリウム塩が特に好ましい。これらのＮ−ラウロイルグリシルグリシン又はその塩は、夫々単独で用いてもよいし、２種以上を任意の割合で混合して用いてもよい。
【００２５】
本発明の組成物においては、（Ａ）と、（Ｅ）の重量比は、通常９９．９９：０．０１〜０．０１：９９．９９、好ましくは９０：１０〜１０：９０、より好ましくは９０：１０〜３０：７０である。
【００２６】
また（Ｅ）の含量は、組成物全体に対して、通常０．０００１重量％以上１０重量％以下であり、０．２重量％以上８重量％以下が好ましく、０．３重量％以上５重量％以下がより好ましい。
【００２７】
本発明の組成物には、泡切れ性改善の観点からさらに成分（Ｆ）Ｎ−ミリストイルグリシルグリシン又はその塩（以下（Ｆ）とも称する）を含んでもよい。
Ｎ−ミリストイルグリシルグリシンの塩としては、リチウム塩、ナトリウム塩、カリウム塩等のアルカリ金属塩；カルシウム塩、マグネシウム塩等のアルカリ土類金属塩；モノエタノールアミン塩、ジエタノールアミン塩、トリエタノールアミン（ＴＥＡ）塩等のアルカノールアミン塩；アンモニウム塩；および塩基性有機物塩等が挙げられるが、上記の観点から、アルカリ金属塩およびアルカノールアミン塩が好ましく、ナトリウム塩、カリウム塩、トリエタノールアミン塩がより好ましく、カリウム塩が特に好ましい。これらのＮ−ミリストイルグリシルグリシン又はその塩は、夫々単独で用いてもよいし、２種以上を任意の割合で混合して用いてもよい。
【００２８】
本発明の組成物においては、（Ｂ）と、（Ｆ）の重量比は、通常９９．９９：０．０１〜０．０１：９９．９９、好ましくは９０：１０〜１０：９０、より好ましくは９０：１０〜３０：７０である。
【００２９】
また（Ｆ）の含量は、組成物全体に対して、通常０．０００１重量％以上１０重量％以下であり、０．２重量％以上８重量％以下が好ましく、０．３重量％以上５重量％以下がより好ましい。
【００３０】
本発明の組成物には、泡切れ性改善の観点からさらに成分（Ｇ）Ｎ−ラウロイルグルタミルグルタミン酸又はその塩（以下（Ｇ）とも称する）を含んでもよい。
Ｎ−ラウロイルグルタミルグルタミン酸の塩としては、リチウム塩、ナトリウム塩、カリウム塩等のアルカリ金属塩；カルシウム塩、マグネシウム塩等のアルカリ土類金属塩；モノエタノールアミン塩、ジエタノールアミン塩、トリエタノールアミン（ＴＥＡ）塩等のアルカノールアミン塩；アンモニウム塩；および塩基性有機物塩等が挙げられるが、上記の観点から、アルカリ金属塩およびアルカノールアミン塩が好ましく、ナトリウム塩、カリウム塩、トリエタノールアミン塩がより好ましく、カリウム塩が特に好ましい。これらのＮ−ラウロイルグルタミルグルタミン酸又はその塩は、夫々単独で用いてもよいし、２種以上を任意の割合で混合して用いてもよい。
【００３１】
本発明の組成物においては、（Ｃ）と、（Ｇ）の重量比は、通常９９．９９：０．０１〜０．０１：９９．９９、好ましくは９５：５〜１０：９０、より好ましくは９５：５〜３０：７０である。
【００３２】
また（Ｇ）の含量は、組成物全体に対して、通常０．０００１重量％以上１０重量％以下であり、０．２重量％以上８重量％以下が好ましく、０．３重量％以上５重量％以下がより好ましい。
【００３３】
本発明の組成物には、スカム親水性付与、泡立ち、泡質向上の観点からさらに成分（Ｈ）Ｎ−アシルアルギニン又はその塩（以下（Ｈ）とも称する）を含んでもよい。
本発明における（Ｈ）Ｎ−アシルアルギニン又はその塩はＤ体、Ｌ体およびＤＬ体のいずれも使用することができる。またこれらのアシルアルギニン又はその塩は、夫々単独で用いてもよいし、２種以上を任意の割合で混合して用いてもよい。
【００３４】
本発明における（Ｈ）Ｎ−アシルアルギニン又はその塩のアシル基は、炭素原子数８〜２４の脂肪酸から誘導されるアシル基であり、炭素原子数８〜１６の脂肪酸から誘導されるアシル基が好ましく、炭素原子数１０〜１２の脂肪酸から誘導されるアシル基がより好ましい。当該アシル基としては、例えばラウリン酸、ミリスチン酸、パルミチン酸、ステアリン酸や、それらの混合物である牛脂脂肪酸、ヤシ油脂肪酸、パーム核油脂肪酸等から誘導されるアシル基が挙げられ、ラウリン酸、ミリスチン酸から誘導されるアシル基が好ましく、ラウリン酸から誘導されるアシル基がより好ましい。
【００３５】
Ｎ−アシルアルギニンの塩としては、リチウム塩、ナトリウム塩、カリウム塩等のアルカリ金属塩；カルシウム塩、マグネシウム塩等のアルカリ土類金属塩；モノエタノールアミン塩、ジエタノールアミン塩、トリエタノールアミン（ＴＥＡ）塩等のアルカノールアミン塩；アンモニウム塩；および塩基性有機物塩等が挙げられる。これらのうち、溶解性が高いというという観点では、ナトリウム塩、カリウム塩、アルカノールアミン塩が好ましく、価格受容性の観点からナトリウム塩がより好ましい。これらのＮ−アシルアルギニン又はその塩は、夫々単独で用いてもよいし、２種以上を任意の割合で混合して用いてもよい。
また（Ｈ）Ｎ−アシルアルギニンは、本発明の組成物を調製するときに、Ｎ−アシル酸性アミノ酸と上記塩を形成する物質（例えば、水酸化ナトリウム、水酸化カリウム、ＴＥＡ等）と一緒に加えて中和し塩の形態としてもよい。さらに成分（Ｈ）Ｎ−アシルアルギニンは、未中和のＮ−アシル酸性アミノ酸を含んでいてもよい。
【００３６】
本発明に用いられるＮ−アシルアルギニンは、具体的には、ラウロイルアルギニン、ミリストイルアルギニン、デカノイルアルギニン等が挙げられる。これらは１種でも２種以上混合して使用してもよい。なかでもＮ−ラウロイルアルギニンの混合物が好ましい。
【００３７】
また（Ｈ）Ｎ−アシルアルギニンの含量は、組成物全体に対して、溶状安定性の観点から、通常０．０００１重量％以上５重量％以下であり、０.０１重量％以上３重量％以下が好ましく、０．０２重量％以上３重量％以下がより好ましい。
【００３８】
本発明の組成物は、高濃度によるハンドリング性向上の観点から、（Ａ）〜（Ｃ）の総含有量が、通常１５〜４０重量％、好ましくは２０〜３５重量％、より好ましくは２０〜３０重量％になるように適当な溶媒を加えて自体公知の方法で調製することができる。
【００３９】
また本発明の組成物は、高濃度によるハンドリング性向上の観点から、（Ａ）〜（Ｄ）の総含有量は、通常１０〜４５重量％、好ましくは１５〜４０重量％、より好ましくは１５〜３５重量％になるように適当な溶媒を加えて自体公知の方法で調製することができる。
【００４０】
本発明においては、本発明の組成物のみで、または本発明の効果を阻害しない範囲で通常使用される各種添加剤を添加して洗浄剤組成物とすることができる。
例えば、セチルアルコール、ステアリルアルコール、ベヘニルアルコール、イソステアリルアルコール、オクチルドデカノール、オレイルアルコール、ミリスチルアルコール等の高級アルコール、硬化牛脂脂肪酸、ヤシ油脂肪酸、パーム油脂肪酸等の高級脂肪酸およびその塩（炭素原子数６〜２４の脂肪酸又はその塩を除く）、トリメチルグリシン等の保湿剤、アニオン性界面活性剤（本発明における（Ａ）〜（Ｃ）、（Ｄ）の塩及び（Ｅ）〜（Ｈ）を除く）、カチオン性界面活性剤、両性界面活性剤、非イオン性界面活性剤等の界面活性剤、植物油、動物系油脂、天然系油脂誘導体、鉱物系油脂、低級および高級脂肪酸エステル等の合成系油脂、シリコーン化合物、高分子物質、動植物抽出物、アミノ酸、核酸、ビタミン、酵素、抗炎症剤、殺菌剤、防腐剤、抗酸化剤、紫外線吸収剤、キレート剤、制汗剤、酸化染料、ｐＨ調整剤、パール化剤等の化粧品原料基準、化粧品種別配合成分規格、医薬部外品原料規格、日本薬局方、日本薬局外医薬品成分規格、食品添加物公定書等の各種公定書記載の原料等が挙げられる。
【００４１】
本発明の組成物及び洗浄剤組成物は、自体公知の方法で製造することができる。例えば、上記した各成分の混合物およびその他の添加物を混合し、この混合物を通常、８０〜９０℃で、５分〜１０分加熱して各成分を均一に溶解する。得られた組成物を自体公知の方法により所望の形態の洗浄剤組成物に調製しうる。例えば加熱して各成分を均一に溶解し、これを型に注入し、冷却固化、乾燥熟成を経て、固形洗浄剤組成物を得ることができる。
【００４２】
洗浄剤組成物として例えばシャンプー、洗顔料、ボディシャンプー、ハンドソープ、シェービング剤、台所用洗浄剤、洗濯用洗剤などが挙げられる。
【００４３】
本発明の組成物及び洗浄剤組成物の形態としては、特に限定されず、固形、液体、ペースト、ゲル、粉末、顆粒、クリーム等の任意の形態が挙げられる。なかでも取扱いに優れることから、液体、粉末、顆粒が好ましく、液体が特に好ましい。
【００４４】
洗浄剤組成物中の（Ｄ）の濃度は、洗浄剤組成物全体に対して、泡切れの早さの観点から、通常０．１重量％以上、０．５重量％以上が好ましく、１重量％以上がより好ましく、通常５０重量％以下であり、３０重量％以下が好ましく、２０重量％以下がより好ましい。
【００４５】
洗浄剤組成物中の濃度は、例えば洗浄剤組成物が液体の場合、洗浄剤組成物の総量に対して、
（Ａ）〜（Ｃ）の合計濃度は、通常１〜３０重量％、好ましくは３〜２５重量％、より好ましくは３〜２０重量％であり、
（Ａ）〜（Ｄ）の合計濃度は、通常１〜３５重量％、好ましくは３〜３０重量％、より好ましくは３〜２５重量％である。
【００４６】
本発明の組成物が液体洗浄剤組成物の場合のｐＨは、通常５〜１２であるが、６〜１０が好ましく、７〜１０がより好ましく、７．５〜９．５がさらに好ましい。この範囲であれば、スカム発生が抑制された洗浄剤組成物を提供することができる。
本発明の組成物が液体以外の洗浄剤組成物の場合のｐＨは、１０％水溶液（２５℃）でのｐＨと定義され、上記ｐＨの範囲に準じる。
【実施例】
【００４７】
以下、実施例により本発明をさらに詳細に説明するが、本発明はこれらの実施例に限定されるものではない。なお特に断りの無い限り、％は重量％を示す。【００４８】
［組成物の調製１］
ラウロイルグリシンカリウム、ラウロイルグリシルグリシンカリウム、ミリストイルグリシンカリウム、ミリストイルグリシルグリシンカリウム、ラウロイルグルタミン酸カリウムは、ショッテン・バウマン法で合成し、精製して調製した。【００４９】
（１）スカムの親水性試験
表１に示す実施例１〜２５及び比較例１〜１０の内容物を常法により調製した後、イオン交換水を用いて５倍希釈した。希釈物を、１０ｇとなるように市販の硬水（商品名：コントレックス、硬度1,468 mg/L）を用いて１００倍希釈し、３０ｍＬガラスバイアルに秤量しサンプルとした。サンプルの外観を以下の基準で評価し、スカムの親水性疎水性の度合いを以下の基準で評価した。スカムの親水性が高いものは、水に馴染みやすいので、少ないエネルギーのスカム洗浄に寄与する。結果は表１に示した。表１に示される組成の単位は、重量％である。【００５０】
Ａ：親水的で水と馴染みやすい：生成したスカムが、サンプル容器下部に沈む
Ｂ：やや疎水的で水と馴染みにくい：液表面とサンプル容器下部にスカムが存在する
Ｃ：疎水的で水と馴染みにくい：スカムが液表面に浮く【００５１】
（２）スカム付着性試験
表１に示す実施例１〜２５及び比較例１〜１０の内容物を常法により調製した後、イオン交換水を用いて５倍希釈した。希釈物を、１０ｇとなるように市販の硬水（商品名：コントレックス、硬度1,468 mg/L）を用いて１００倍希釈し、３０ｍＬガラスバイアルに秤量しサンプルとした。サンプルが入ったガラスバイアルを激しく上下に振蕩した後、静置し、ガラスバイアル内壁に付着したスカムの程度を以下の基準で評価し、スカム付着性の度合いを以下の基準で評価した。スカム付着性が低い程、固体表面からスカムが離れやすく、スカムの洗浄性向上に寄与する。結果は表１に示した。【００５２】
Ａ：内壁へのスカムの付着が視認できない。
Ｂ：内壁へのスカムの付着が確認できる。
Ｃ：内壁へのスカムの激しい付着が確認できる。【００５３】
（３）泡切れ性試験
表１に示す実施例１〜２５及び比較例１〜１０の内容物を常法により調製した後、イオン交換水を用いて5倍希釈した。希釈物を、１０ｇとなるように市販の硬水（商品名：コントレックス、硬度1,468 mg/L）を用いて１００倍希釈し、３０ｍＬガラスバイアルに秤量しサンプルとした。サンプルが入ったガラスバイアルを激しく上下に振とうした後、１５秒間静置し、静置後の泡量について目視で以下の基準で評価した。泡量が少ない程、泡切れ性が良く、排水口等での泡沫の滞留を防ぎ、スカムの残存抑制に寄与する。結果は表１に示した。【００５４】
Ａ：泡がほとんど消失する。
Ｂ：液表面に高さ５mm未満の泡が残る。
Ｃ：液表面に高さ５mm以上の泡が残る。【００５５】
【表１−１】
2018216672.tif 000002
【００５６】
【表１−２】
2018216672.tif 000003
【００５７】
【表１−３】
2018216672.tif 000004
【００５８】
（４）泡のきめ細かさ試験
表１に示す実施例１〜２３及び比較例１〜１０の内容物を常法により調製した後、イオン交換水を用いて５倍希釈した。その後、希釈物１０ｇを、３０ｍＬガラスバイアルに秤量しサンプルとした。サンプルを５秒以上、上下に振とうすることで十分泡立てた後、外観を以下の基準で評価し、泡のきめ細かさの度合いを以下の基準で評価した。よりきめ細かい泡は、使用時の満足感の向上、豊富な泡量の演出に寄与する。結果は表２に示した。【００５９】
Ａ：きめが細かい
Ｂ：やや、きめが細かい
Ｃ：きめが粗い【００６０】
（５）さっぱり感評価
表１に示す実施例１〜２３及び比較例１〜１０の内容物を常法により調製した後、イオン交換水を用いて５倍希釈した。その後、希釈物１０ｇを用いて、手で揉み洗いした後、水道水で濯いだ。十分に乾燥した後、さっぱり感を以下の基準で専門パネル３人により評価した。さっぱり感が強いことで、使用時の満足感が向上するのみならず、すすぎ終わりが明確な為、身体洗浄後のすすぎ水の削減や、すすぎ時間の短縮に寄与する。結果は表２に示した。【００６１】
A：非常にさっぱりする
B：さっぱりする
C：さっぱりしにくい【００６２】
【表２−１】
2018216672.tif 000005
【００６３】
【表２−２】
2018216672.tif 000006
【００６４】
【表２−３】
2018216672.tif 000007
【００６５】
［組成物の調製２］
表３〜５に記載の各成分を混合し、クエン酸または水酸化カリウムを用いてｐＨ９．０に調整し身体用液体洗浄剤を調製した。表３〜５に示される組成の単位は、重量％である。【００６６】
ラウロイルグリシルグリシンカリウム、ミリストイルグリシルグリシンカリウムについては、ラウロイルグリシンカリウムまたはミリストイルグリシンカリウムから誘導される酸クロライドとグリシンとのショッテン・バウマン法等により、調製することが出来る。【００６７】
ラウロイルグルタミルグルタミン酸カリウムについては、グルタミルグルタミン酸と長鎖脂肪酸クロライドをショッテン・バウマン法で合成し、精製して調製した。【００６８】
［洗浄剤組成物の調製１］【００６９】
【表３】
2018216672.tif 000008
【００７０】
得られた洗浄剤組成物は、これまでの常法によって得られる洗浄剤組成物に比べて、泡切れに優れ、スカム発生が抑制された。【００７１】
［洗浄剤組成物の調製２］【００７２】
【表４】
2018216672.tif 000009
【００７３】
得られた洗浄剤組成物は、これまでの常法によって得られる洗浄剤組成物に比べて、泡切れに優れ、スカム発生が抑制された。【００７４】
［洗浄剤組成物の調製３］【００７５】
【表５】
2018216672.tif 000010
【００７６】
得られた洗浄剤組成物は、これまでの常法によって得られる洗浄剤組成物に比べて、泡切れに優れ、スカム発生が抑制された。
【産業上の利用可能性】
【００７７】
本発明により、泡切れに優れ、スカム発生が抑制された洗浄剤を提供することができる。【００７８】
本出願は日本で出願された特願２０１７−１０１８９２を基礎としており、その内容は本明細書に全て包含されるものである。
【国際調査報告】
2018216672.tif 000011
2018216672.tif 000012
2018216672.tif 000013
2018216672.tif 000014
2018216672.tif 000015
2018216672.tif 000016